(57)【要約】【課題】内容物を取り出すときに催吐剤が手指や内容物等に付着しにくい蓋材及びこれを用いた包装体を提供する。【解決手段】内容物１６の収容部１３と収容部１３の周囲の封止部１４とを有する包装体１０に用いられる蓋材１１であって、蓋材１１は、基材１１ａと、基材１１ａの片面をヒートシール可能とする封止層１１ｂとを有し、蓋材１１のうち、少なくとも収容部１３に対応する領域は、内容物１６を介した押圧による突き刺し破壊性を有し、蓋材１１の封止層１１ｂが設けられる側とは反対側の表面において、収容部１３に対応する領域の表面に催吐剤を有せず、封止部１４に対応する領域の表面の少なくとも一部に催吐剤（例えば、催吐層１１ｃ）を有する。【選択図】図１
2019099246.tif 000002
【特許請求の範囲】
【請求項１】
内容物の収容部と前記収容部の周囲の封止部とを有する包装体に用いられる蓋材であって、前記蓋材は、基材と、基材の片面をヒートシール可能とする封止層とを有し、前記蓋材のうち、少なくとも前記収容部に対応する領域は、前記内容物を介した押圧による突き刺し破壊性を有し、前記蓋材の前記封止層が設けられる側とは反対側の表面において、前記収容部に対応する領域の表面に催吐剤を有せず、前記封止部に対応する領域の表面の少なくとも一部に催吐剤を有することを特徴とする蓋材。
【請求項２】
前記基材が、アルミニウム箔又はアルミニウム合金箔であることを特徴とする請求項１に記載の蓋材。
【請求項３】
前記催吐剤が、前記基材に塗着されていることを特徴とする請求項１又は２に記載の蓋材。
【請求項４】
前記催吐剤が、前記基材の表面の一部に設けられた催吐層であることを特徴とする請求項１〜３のいずれか１項に記載の蓋材。
【請求項５】
前記蓋材は、前記封止部に対応する領域の表面のみに前記催吐剤を有し、前記収容部に対応する領域には前記催吐剤を有しないことを特徴とする請求項１〜４のいずれか１項に記載の蓋材。
【請求項６】
前記蓋材は、前記収容部に対応する領域及び前記封止部に対応する領域に前記催吐剤が塗着され、前記収容部に対応する領域では前記催吐剤の上に保護層が設けられていることを特徴とする請求項１〜４のいずれか１項に記載の蓋材。
【請求項７】
前記催吐剤が、安息香酸デナトニウムであることを特徴とする請求項１〜６のいずれか１項に記載の蓋材。
【請求項８】
前記包装体が前記収容部を複数有し、前記催吐剤が、複数の前記収容部の間に対応する領域の少なくとも一部と、複数の前記収容部より外周部に対応する領域の少なくとも一部とに設けられていることを特徴とする請求項１〜７のいずれか１項に記載の蓋材。
【請求項９】
内容物の収容部と前記収容部の周囲の封止部とを有する包装体であって、請求項１〜８のいずれか１項に記載の蓋材を用いて封止されていることを特徴とする包装体。
【発明の詳細な説明】
【技術分野】
【０００１】
本発明は、包装体に簡便な方法でチャイルドレジスタンス機能を付与することが可能な蓋材及びこれを用いた包装体に関する。
【背景技術】
【０００２】
近年、各種製品の包装に用いられる包装体において、乳幼児や小児による誤飲又は誤食を抑制するため、苦味などの不快な味を有する催吐剤の使用が提案されている。
【０００３】
例えば、特許文献１には、ＰＴＰ包装容器の底材又は蓋材の外面に催吐剤を塗着することが提案されている。また、特許文献２には、収納部を設けた第１シート、収納部を覆う第２シート、又は第２シートから弾性的に跳ね上がる第３シートのいずれかに不快な調味剤を塗布することが提案されている。また、特許文献３には、偏平型電池を収容する樹脂ケースの側面部又は底面部の外表面に催吐剤を付与することが提案されている。
【先行技術文献】
【特許文献】
【０００４】
【特許文献１】特開２０１４−１４１２５８号公報
【特許文献２】特開２０１４−２０１３６３号公報
【特許文献３】特開２０１４−０２６８４８号公報
【発明の概要】
【発明が解決しようとする課題】
【０００５】
包装体の容器外面に催吐剤を設ける場合、包装体を開封して内容物を取り出す際に、催吐剤が手指や内容物等に付着するおそれがある。この場合、乳幼児や小児を除く大人等が包装体を開封したときに、不快な味が感知されるおそれがあり、その結果、製品の適切な利用を阻害するおそれ、あるいは製品の問題と認識されるおそれがある。
【０００６】
本発明は、前述のような問題点を解決するためになされたものであり、その課題は、内容物を取り出すときに催吐剤が手指や内容物等に付着しにくい蓋材及びこれを用いた包装体を提供することである。
【課題を解決するための手段】
【０００７】
上記の課題は、以下の本発明により解決することができる。
すなわち、第１の発明は、内容物の収容部と前記収容部の周囲の封止部とを有する包装体に用いられる蓋材であって、前記蓋材は、基材と、基材の片面をヒートシール可能とする封止層とを有し、前記蓋材のうち、少なくとも前記収容部に対応する領域は、前記内容物を介した押圧による突き刺し破壊性を有し、前記蓋材の前記封止層が設けられる側とは反対側の表面において、前記収容部に対応する領域の表面に催吐剤を有せず、前記封止部に対応する領域の表面の少なくとも一部に催吐剤を有することを特徴とする蓋材を提供する。
【０００８】
第２の発明では、前記基材が、アルミニウム箔又はアルミニウム合金箔である。
第３の発明では、前記催吐剤が、前記基材に塗着されている。
第４の発明では、前記催吐剤が、前記基材の表面の一部に設けられた催吐層である。
【０００９】
第５の発明では、前記蓋材は、前記封止部に対応する領域の表面のみに前記催吐剤を有し、前記収容部に対応する領域には前記催吐剤を有しない。
第６の発明では、前記蓋材は、前記収容部に対応する領域及び前記封止部に対応する領域に前記催吐剤が塗着され、前記収容部に対応する領域では前記催吐剤の上に保護層が設けられている。
【００１０】
第７の発明では、前記催吐剤が、安息香酸デナトニウムである。
第８の発明では、前記包装体が前記収容部を複数有し、前記催吐剤が、複数の前記収容部の間に対応する領域の少なくとも一部と、複数の前記収容部より外周部に対応する領域の少なくとも一部とに設けられている。
【００１１】
第９の発明は、内容物の収容部と前記収容部の周囲の封止部とを有する包装体であって、前記蓋材を用いて封止されていることを特徴とする包装体を提供する。
【発明の効果】
【００１２】
本発明によれば、蓋材のうち、収容部に対応する領域の表面には催吐剤が露出されていないので、内容物を取り出すときに催吐剤が手指や内容物等に付着しにくくなる。
【図面の簡単な説明】
【００１３】
【図１】第１実施形態の蓋材を用いた包装体を例示する断面図である。
【図２】第２実施形態の蓋材を用いた包装体を例示する断面図である。
【発明を実施するための形態】
【００１４】
以下、好適な実施形態に基づいて本発明を説明する。
図１は、第１実施形態の蓋材を用いた包装体を示す。また、図２は、第２実施形態の蓋材を用いた包装体を示す。
【００１５】
これらの実施形態では、包装体１０，２０は、蓋材１１、２１と底材１２，２２とを備える。底材１２，２２は、内容物１６，２６を収容する収容部１３，２３と、収容部１３，２３の周囲に設けられた封止部１４，２４とを有する。本実施形態では、収容部１３，２３が収容空間１５，２５を有するように成形され、内容物１６，２６が収容されていないときでも収容空間１５，２５の形状が維持されている。
【００１６】
内容物１６，２６は、例えば錠剤やカプセル剤等の固形物でもよく、液体、粉体等の流動物であってもよい。包装体１０，２０がＰＴＰ包装であるか又はＰＴＰ包装と同様な開封方法を適用する包装体１０，２０である場合は、蓋材１１，２１を押し破る際の圧力に耐え得る固形物であることが好ましい。内容物１６，２６の種類は特に限定されず、医薬品、化粧品、食品、洗浄剤、電池、玩具、機械部品など任意である。
【００１７】
収容部１３，２３の平面形状は、特に限定されず、例えば円形、楕円形、四角形、六角形、多角形等が挙げられる。収容部１３，２３の平面形状が、内容物１６，２６の輪郭形状と略相似となるように合わせてもよい。封止部１４，２４の幅は、特に限定されないが、例えば１〜５ｍｍが例示され、３ｍｍ程度でもよい。
【００１８】
底材１２，２２を構成する材料は特に限定されないが、樹脂等のフィルム、シート、成形体が挙げられる。底材１２，２２を構成する樹脂としては、特に限定されないが、ポリ塩化ビニル、ポリエチレン、ポリプロピレン、ポリオレフィン、ポリカーボネート、ポリエステル、ポリアミド、フッ素樹脂等の１種又は２種以上が挙げられる。底材１２，２２は、複数の材料が、積層、塗布、成膜、混合、分散等により複合された構成であってもよい。
【００１９】
底材１２，２２の光学特性は、内容物１６，２６の用途等に応じて、無色透明、有色透明、半透明、不透明など任意に設定することができる。紫外線や赤外線等による内容物１６，２６の劣化を抑制するため、可視光を透過して、紫外線又は赤外線を吸収する材料を用いることも可能である。
【００２０】
外部から収容空間１５，２５へ酸素又は水蒸気の浸透を抑制するため、バリア性を有する底材１２，２２を用いることが好ましい。バリア性材料としては、ポリ塩化ビニリデン、エチレンビニルアルコール共重合体、金属、金属酸化物等が挙げられる。アルミニウム等の金属をバリア性材料として用いる場合は、箔または蒸着膜として積層することが好ましい。
【００２１】
蓋材１１，２１は、収容空間１５，２５が開口した側において底材１２，２２を覆うことにより、包装体１０，２０を封止する。本実施形態の蓋材１１，２１は、少なくとも基材１１ａ，２１ａと、封止部１４，２４において封止される封止層１１ｂ，２１ｂと、蓋材１１，２１の表面の少なくとも一部に設けられた催吐層１１ｃ，２１ｃと、を有する積層体である。ここで、蓋材１１，２１の表面とは、封止層１１ｂ，２１ｂが設けられる側とは反対側の面である。また、蓋材１１，２１の封止層１１ｂ，２１ｂが設けられる側の面は、蓋材１１，２１の裏面とする。これらの表面と裏面とは、蓋材１１，２１の厚さ方向に対向する両側の面である。
【００２２】
封止層１１ｂ，２１ｂを構成する材料としては、ヒートシール剤やシーラント樹脂等の熱可塑性樹脂が挙げられる。封止層１１ｂ，２１ｂの熱可塑性樹脂は、底材１２，２２との接着性等に応じて適宜選択することができ、例えば、ポリオレフィン系樹脂、酸変性ポリオレフィン系樹脂、ポリ塩化ビニル系樹脂、アイオノマー樹脂、ポリエステル系樹脂等が挙げられる。封止層１１ｂ，２１ｂの形成方法は特に限定されないが、塗布、押出被覆、ドライラミネート等が挙げられる。
【００２３】
本実施形態の蓋材１１，２１において、封止層１１ｂ，２１ｂは、基材１１ａ，２１ａの一方の面に積層されている。封止層１１ｂ，２１ｂは、少なくとも封止部１４，２４のみに形成されればよい。基材１１ａ，２１ａの全面にわたり、封止層１１ｂ，２１ｂが積層されてもよい。蓋材１１，２１の裏面において、封止層１１ｂ，２１ｂが収容部１３，２３に対応する領域に形成されなくてもよく、封止層１１ｂ，２１ｂが内容物１６，２６に直接接してもよく、封止層１１ｂ，２１ｂ上のうち、収容空間１５，２５に面する領域に、任意の層が積層されてもよい。
【００２４】
蓋材１１，２１は、少なくとも収容部１３，２３に対応する領域において、内容物１６，２６を介した押圧による突き刺し破壊性を有する。内容物１６，２６を介した押圧による突き刺し破壊性を有する基材１１ａ，２１ａとして、アルミニウム箔又はアルミニウム合金箔等の金属箔、グラシン紙、樹脂フィルムが挙げられる。基材１１ａ，２１ａが、２種以上の材料から構成されてもよい。
【００２５】
樹脂フィルムに突き刺し破壊性を付与するには、樹脂の組成や熱処理条件等を調整する方法、無機質粉末等の添加剤を配合する方法、非貫通の小孔を形成する方法等が挙げられる。基材１１ａ，２１ａがアルミニウム箔又はアルミニウム合金箔等の金属箔を有する場合は、開封性が安定し、遮光性やバリア性にも優れるので、医薬品等の包装に好適である。基材１１ａ，２１ａが、金属箔のみから構成されてもよい。基材１１ａ，２１ａを構成する金属箔が、封止層１１ｂ，２１ｂ側の面又は催吐層１１ｃ，２１ｃ側の面に表面処理層又はコーティング層等を有してもよい。
【００２６】
本実施形態の蓋材１１，２１において、催吐層１１ｃ，２１ｃは、基材１１ａ，２１ａの他方の面に積層されている。ここで、「他方の面」とは、上述した「一方の面」とは反対側の面である。図１に示す第１実施形態の蓋材１１の場合、封止部１４に対応する領域の表面のみに催吐層１１ｃを有する。図２に示す第２実施形態の蓋材２１の場合、収容部２３に対応する領域と封止部２４に対応する領域にかけて催吐層２１ｃを有し、そのうち収容部２３に対応する領域では催吐層２１ｃの上に保護層２１ｄが設けられている。
【００２７】
第１実施形態及び第２実施形態のいずれにおいても、蓋材１１，２１の表面のうち、収容部１３，２３に対応する領域の表面には催吐層１１ｃ，２１ｃが露出されておらず、封止部１４，２４に対応する領域の表面に催吐層１１ｃ，２１ｃが露出されている。これにより、収容部１３，２３側から内容物１６，２６を介して蓋材１１，２１を押圧して内容物１６，２６を取り出すときに、催吐剤が内容物１６，２６や手指等に付着しにくくなる。
【００２８】
包装体１０，２０が収容部１３，２３を複数有する場合、催吐層１１ｃ，２１ｃは、複数の収容部１３，２３の間に対応する収容部間対応領域１７，２７の少なくとも一部に設けられもよく、複数の収容部１３，２３より外周部に対応する外周部対応領域１８，２８の少なくとも一部に設けられていてもよい。乳幼児や小児が包装体１０，２０を外周部から口に入れることから、少なくとも外周部対応領域１８，２８の一部に催吐層１１ｃ，２１ｃを露出させることが好ましい。また、収容部１３，２３ごとに包装体１０，２０を切り分ける場合を考慮して、収容部間対応領域１７，２７にも催吐層１１ｃ，２１ｃを露出させることが好ましい。
【００２９】
催吐剤としては、不快な味覚により催吐性を有し、かつ乳幼児や小児に対しても無害な物質を含めばよく、苦味剤、酸味剤、辛味剤、渋味剤などが挙げられる。苦味剤としては、例えば、安息香酸デナトニウム、オクタアセチルスクロース、アルカロイド類、テルペン類等が挙げられる。辛味剤としては、カプサイシン等のカプサイシノイド類、アリルイソチオシアネート等のイソチオシアン酸エステル等、酸味剤としては、クエン酸等の有機酸等が挙げられる。渋味剤としては、カテキン、プロ（アント）シアニジン等のポリフェノール類が挙げられる。催吐性が高いことから、安息香酸デナトニウムが好ましい。
【００３０】
蓋材１１，２１の表面に催吐剤を付与する方法としては、催吐剤又は催吐剤を含む組成物を基材１１ａ，２１ａの表面に塗布する方法、催吐剤を含む組成物を基材１１ａ，２１ａに押出コーティングする方法、基材１１ａ，２１ａの表面に形成された凹部に催吐剤又は催吐剤を含む組成物を充填する方法等が挙げられる。催吐剤を樹脂等のバインダに配合すると、基材１１ａ，２１ａに対する接着性を向上することができる。
【００３１】
催吐剤を基材１１ａ，２１ａに塗着することにより、蓋材１１，２１の加工が容易になる。催吐剤を塗布する場合には、催吐剤の溶液を蓋材１１，２１に塗布して、催吐剤のみが基材１１ａ，２１ａ上に残るようにしてもよい。また、催吐剤とバインダ等を含む塗料を基材１１ａ，２１ａに塗布して、催吐剤とバインダ等が基材１１ａ，２１ａ上に残るようにしてもよい。
【００３２】
第２実施形態に使用する保護層２１ｄとしては、特に限定されることなく、熱可塑性樹脂、熱硬化性樹脂、光硬化性樹脂等の樹脂や塗膜が挙げられる。収容部２３に対応する領域上に、保護層２１ｄが全面的に設けられてもよい。また、収容部２３に対応する領域上で、保護層２１ｄが部分的に設けられてもよい。保護層２１ｄは、水に対して不溶性でも水溶性でもよい。保護層２１ｄが唾液に溶けることで、収容部２３上の催吐層２１ｃが催吐作用を増強してもよい。
【００３３】
蓋材１１，２１の少なくとも片面には、印刷を施してもよい。基材１１ａ，２１ａに印刷適性を付与するため、基材１１ａ，２１ａの片面又は両面に印刷可能な樹脂等の皮膜を設けてもよい。底材１２，２２が透明な場合には、蓋材１１，２１の表面に限らず、底材１２，２２側の裏面に印刷を設けることもできる。印刷内容は、図柄、表示、記号等を含むことができる。蓋材１１，２１を底材１２，２２に接合した状態において、蓋材１１，２１が平面状でもよく、収容部１３，２３に対して凹又は凸に湾曲することもあり得る。
【００３４】
蓋材１１，２１により包装体１０，２０を封止する工程としては、収容部１３，２３に内容物１６，２６を収容した後、底材１２，２２上に蓋材１１，２１を重ね合わせ、ヒートシール等により、封止部１４，２４を閉じ合わせる工程が例示される。封止前から蓋材１１，２１の表面に催吐剤が付与されてもよい。封止後に蓋材１１，２１の表面に催吐剤が付与されてもよい。封止層１１ｂ，２１ｂの側に催吐剤を付与する必要はないことから、封止後の蓋材１１，２１に催吐剤を付与すると、催吐剤が内容物１６，２６に混入しにくい。封止前の蓋材１１，２１に催吐剤を付与する場合は、蓋材１１，２１が封止されるまで、催吐剤の上を覆うカバー等を設けてもよい。
【００３５】
包装体１０，２０の開封方法は、蓋材１１，２１のうち封止部１４，２４に対応する領域の表面に露出された催吐剤への接触を抑制する観点から、収容部１３，２３の底部を押圧し、内容物１６，２６を介した押圧により、蓋材１１，２１のうち収容部１３，２３に対応する領域を突き破る方法が好ましい。蓋材１１，２１のうち収容部１３，２３に対応する領域の表面にハーフカット線等による易開封部や、引手等の開封補助部を設けることも可能である。
【００３６】
蓋材１１，２１の表面に催吐剤を付与することにより、乳幼児や小児による誤飲又は誤食を抑制することができる。適切な利用方法をわきまえている利用者であれば、大人が開封する場合に限らず、大人の適切な指導監督のもと小児が包装体１０，２０を開封してもよい。内容物１６，２６は、大人用の製品に限らず、乳幼児や小児に与えるための製品、利用者の年齢が制限されていない製品などであってもよい。
【００３７】
上記実施形態の包装体１０，２０は、底材１２，２２には催吐剤を設けていないが、底材１２，２２の外表面にも催吐剤を設けることは可能である。底材１２，２２には催吐剤を設けることなく、蓋材１１，２１のみに催吐剤を設ける場合、底材１２，２２の加工コスト増を回避することができるので、好ましい。例えば、底材１２，２２のうち収容部１３，２３の側面から封止部１４，２４にかけた範囲で収容部１３，２３をつまみながら、蓋材１１，２１を突き破って内容物１６，２６を押し出すと、蓋材１１，２１の表面の催吐剤が開封時に手指につきにくい。
【００３８】
以上、本発明を好適な実施形態に基づいて説明してきたが、本発明は上述の実施形態に限定されるものではなく、本発明の要旨を逸脱しない範囲で種々の改変が可能である。
【００３９】
上記実施形態の包装体１０，２０は、底材１２，２２にポケット状の収容部１３，２３が成形されたＰＴＰ（プレススルーパッケージ）包装であるが、ＳＰ（ストリップパッケージ）包装、ブリスター包装などに適用することも可能である。収容部は、収容空間が塑性的に成形されている場合に限らず、内容物の収容に応じて弾性的に変形する構造であってもよい。蓋材の表面の特定領域に催吐剤が露出された包装体は、さらに袋や箱等の外装体に包装されると、催吐剤による汚染が抑制されるので好ましい。
【符号の説明】
【００４０】
１０，２０…包装体、１１，２１…蓋材、１１ａ，２１ａ…基材、１１ｂ，２１ｂ…封止層、１１ｃ，２１ｃ…催吐層、２１ｄ…保護層、１２，２２…底材、１３，２３…収容部、１４，２４…封止部、１５，２５…収容空間、１６，２６…内容物、１７，２７…収容部間対応領域、１８，２８…外周部対応領域。
【図１】
2019099246.tif 000003
【図２】
2019099246.tif 000004